(57)【要約】【課題】  口部外面に付着した内溶液によって容器載置面が汚れるのを防ぐことができる金属製容器および飲料入り閉止装置を提供する。【解決手段】  テーパ状に形成された肩部外面に、容器外面を流下する液滴を貯留する液溜め凹部が形成されているため、内溶液が液滴となって容器外面を流下しても、液溜め凹部に液滴が貯留される。従って、金属製容器を手に持った際、液滴によって手が汚れるのを防止できる。また、金属製容器が載置されている面及び該面に載置された書類等を液滴によって汚したりすることが防止できる。【選択図】    図１
2006143261.tif 000002
【特許請求の範囲】
【請求項１】
胴部と、この胴部に連なってテーパ状に形成された肩部と、この肩部から延出する首部と、この首部に連なる口部とを備えた金属製容器であって、
前記肩部外面に、前記容器外面を流下する液滴を貯留する液溜め凹部が形成されていることを特徴とする金属製容器。
【請求項２】
前記液溜め凹部は、底面が、容器軸方向に対してほぼ垂直に形成されていることを特徴とする請求項１に記載の金属製容器。
【請求項３】
前記液溜め凹部は、前記肩部の全周にわたって形成されていることを特徴とする請求項１または２に記載の金属製容器。
【請求項４】
前記液溜め凹部は、前記肩部の高さ方向のほぼ中間部に形成されていることを特徴とする請求項１〜３のうちいずれか１項に記載の金属製容器。
【請求項５】
飲料が充填された金属製容器と、その口部に装着されるキャップとを備えた飲料入り閉止装置であって、
金属製容器が、胴部と、この胴部に連なってテーパ状に形成された肩部と、この肩部から延出する首部と、この首部に連なる口部とを備え、前記肩部外面に、前記容器外面を流下する液滴を貯留する液溜め凹部が形成されていることを特徴とする飲料入り閉止装置。
【発明の詳細な説明】
【技術分野】
【０００１】
本発明は、飲料などが充填される金属製容器、これを用いた飲料入り閉止装置に関する。
【背景技術】
【０００２】
従来、飲料などを充填する容器としては、アルミニウム、アルミニウム合金、スチールなどの金属からなるものがある（例えば、特許文献１を参照）。
図６は、従来の金属製容器の一例である金属製容器２０とキャップ１とを備えた閉止装置の一例を示すものである。
金属製容器２０は、胴部２４と、胴部２４に連なる肩部２５と、肩部２５から延出する首部２６と、首部２６に連なる口部２１とを備えている。
【特許文献１】特開２００３−９４１３３号公報
【発明の開示】
【発明が解決しようとする課題】
【０００３】
金属製容器２０では、使用者がキャップを開栓した後、内溶液が口部外面に付着し、これが液滴として容器外面を流下し、容器が載置されている面（テーブルの上面など）を汚してしまうことがあった。
本発明は上記事情に鑑みてなされたもので、口部外面に付着した内溶液によって容器載置面が汚れるのを防ぐことができる金属製容器および飲料入り閉止装置を提供することを目的とする。
【課題を解決するための手段】
【０００４】
前記課題を解決するため、本発明は、胴部と、この胴部に連なってテーパ状に形成された肩部と、この肩部から延出する首部と、この首部に連なる口部とを備えた金属製容器であって、前記肩部外面に、前記容器外面を流下する液滴を貯留する液溜め凹部が形成されていることを特徴とする金属製容器を提供する。
前記液溜め凹部は、底面が、容器径方向に対してほぼ垂直に形成されていることが好ましい。
前記液溜め凹部は、前記肩部の全周にわたって形成されていることが好ましい。
前記液溜め凹部が、前記肩部のほぼ中間部に形成されるよう構成しても良い。
本発明においては、飲料が充填された金属製容器と、その口部に装着されるキャップとを備えた飲料入り閉止装置であって、金属製容器が、胴部と、この胴部に連なってテーパ状に形成された肩部と、この肩部から延出する首部と、この首部に連なる口部とを備え、前記肩部外面に、前記容器外面を流下する液滴を貯留する液溜め凹部が形成されていることを特徴とする飲料入り閉止装置を提供する。
【発明の効果】
【０００５】
本発明の金属製容器は、テーパ状に形成された肩部外面に、容器外面を流下する液滴を貯留する液溜め凹部が形成されているため、内溶液が液滴となって容器外面を流下しても、この液滴が液溜め凹部に貯留される。
従って、金属製容器を手に持った際、液滴によって手が汚れるのを防止できる。また、金属製容器が載置されている面及び該面に載置された書類等が液滴によって汚れるのを防止できる。
また、液溜め凹部の底面を、容器軸方向に対してほぼ垂直に形成することによって、肩部外面を流下する液滴が液溜め凹部において確実に貯留される。
従って、金属製容器を持つ手や、金属製容器が載置されている面及び外面に載置された書類等が液滴によって汚れるのを確実に防止できる。
また、液溜め凹部を、肩部の全周にわたって形成することによって、内溶液の液滴が、肩部外面周方向の何れの位置から流下してきても、この液滴が液溜め凹部に貯留される。
従って、金属製容器を持つ手や、金属製容器が載置されている面及び該面に載置された書類等が液滴によって汚れるのを確実に防止できる。
また、液溜め凹部を、肩部のほぼ中間部に形成することにより、液滴が肩部の中間部より下方に流下するのを防止できる。
従って、金属製容器を手で持つ際、指がテーパ状の肩部の下部に掛かっても、手が液滴で汚れることがない。
【発明を実施するための最良の形態】
【０００６】
以下、本発明に係る金属製容器の実施の形態について、図面を参照して説明する。
図１および図２は、本発明の閉止装置の一例を示すもので、この閉止装置は、金属製容器２０と、その口部２１に装着されるキャップ１とから構成されている。
【０００７】
金属製容器２０（以下、容器２０と略称する）は、アルミニウム、アルミニウム合金、スチールなどの金属からなるもので、胴部２４と、胴部２４に連なる肩部２５と、肩部２５から延出する首部２６と、首部２６に連なる口部２１とを備えている。
【０００８】
胴部２４は、有底筒状に形成されている。
肩部２５は、胴部２４の上端から上方に向かって、テーパ状に漸次縮径して形成されている。
【０００９】
肩部２５の外面には、液溜め凹部２７が、肩部２５の全周にわたって環状に形成されている。
液溜め凹部２７は、底部２７aと、底部２７ａの内縁から内方に向かって上方に湾曲して延びる湾曲部２７ｂと、湾曲部２７ｂの上縁から連なり、底部２７ａに対して垂直に形成されて上方に延びる側部２７ｃとを有している。底部２７ａの上面である底面２７ｄは、容器軸方向に対して垂直に形成されている。図示例では、ほぼ水平な方向に形成されている。
液溜め凹部２７は、肩部２５の高さ方向において任意の位置に設けることができるが、図１に示す液溜め凹部２７は、肩部２５高さ方向のほぼ中間部に形成されている。
【００１０】
首部２６は、肩部２５の上端から上方へ筒状に延出して形成されている。
【００１１】
口部２１には、キャップ１が螺着される雄ねじ２２と、キャップ１を開栓する際にＴＥリング部９が係止する膨出段部２３とが形成されている。
【００１２】
図１に示すように、キャップ１は、天板部２とその周縁から垂下した筒部３とを有するキャップ本体４と、天板部２内面に設けられたライナー５とを備えている。
筒部３は、水平スコア６（弱化ライン）によって、水平スコア６より上部の主部８と、ブリッジ７によって主部８の下端に連結されたタンパーエビデンスリング部９（ＴＥリング部９）とに区画されている。
筒部３には、キャップ１を口部２１に装着する際にねじ部１０が形成される。ねじ部１０は、雄ねじ２２に沿う形状となるように形成される。
ＴＥリング部９の下部は、膨出段部２３に沿って内方に湾曲した裾部１１とされ、開栓時に膨出段部２３に係止するようになっている。
【００１３】
口部２１に装着したキャップ１を開栓方向に回すと、キャップ１が上昇し、ライナー５が開口端部２１ａから離れ、容器２０の密封が解除される。
キャップ開栓の過程では、ＴＥリング部９の裾部１１が膨出段部２３に係止することから、主部８は回転に従って上昇する一方、ＴＥリング部９は上方への移動が阻止される。
このため、主部８とＴＥリング部９とを連結しているブリッジ７に引張力が作用し、これらブリッジ７が破断し、主部８がＴＥリング部９から切り離される。
キャップ１を、さらに開栓方向に回すと、主部８は回転に伴って上昇し、容器口部２１から外れる。
【００１４】
利用者が内容液を飲用する場合等には、内溶液の一部が口部２１の外面に液滴３０として付着することがある。この液滴３０は、口部２１から下方へ流下し、首部２６を経て肩部２５外面へと流下する。
【００１５】
肩部２５のテーパ状の外面を流下した液滴３０は液溜め凹部２７に達し、側部２７ｃをを経て、底面２７ｄに到達する。
底面２７ｄは水平に形成されているため、液滴３０は底面２７ｄ上に貯留された状態となる。液滴３０が流出しないため、容器２０の外面において、液溜め凹部２７より下方には液滴３０が付着せず、また、容器２０を載置する面（テーブル等）に液滴３０が達することがない。
従って、容器２０を手で持った際に手が汚れたり、容器２０を載置する面及び該面に載置された書類等が汚れることがない。
【００１６】
本例の容器２０では、肩部２５外面に、容器２０外面を流下する液滴３０を貯留する液溜め凹部２７が形成されているので、飲料が液滴３０となって容器２０外面を流下しても、液溜め凹部２７に液滴３０が貯留される。
従って、容器２０を手に持った際、液滴３０によって手が汚れるのを防止できる。また、容器２０が載置されている面及び該面に載置されている書類等が液滴３０によって汚れることが防止できる。
また、本例の容器２０では、液溜め凹部２７の底面２７ｄが、ほぼ水平に形成されているため、肩部２５外面を流下する液滴３０が液溜め凹部２７において確実に貯留される。
従って、容器２０を持つ手や、容器２０が載置されている面及び該面に戴置された書類等が汚れることを確実に防止できる。
また、液溜め凹部２７は、肩部２５の全周にわたって形成されているため、液滴３０が、肩部２５外面周方向のどの位置から流下してきても、液溜め凹部２７に液滴３０が貯留される。
従って、容器２０を持つ手や、容器２０が載置されている面及び該面に戴置された書類等が汚れることを確実に防止できる。
また、液溜め凹部２７は、肩部２５のほぼ中間部に形成されていることにより、液滴３０が肩部２５の中間部より下方に流れるのを防止することができる。このため、容器２０を手で持つ際に、指が肩部２５の下部に掛かっても、指が液滴３０で汚れることがない。
【００１７】
図１及び図２に示す容器２０では、液溜め凹部の形状は、水平に形成された底部２７ａと垂直に形成された側部２７ｃとを有するものとしたが、本発明の液溜め凹部の形状は図１及び図２に示すものに限定されない。
図３に示す液溜め凹部２８は、断面円弧状となっている。
この容器２０では、断面円弧状の液溜め凹部２８によって液滴３０が貯留されるため、液溜め凹部２８より下方には流れない。
図４に示す液溜め凹部２９は、底部２９ａが拡径方向に向かって上昇するように傾斜して形成されている。
この容器２０では、底部２９ａの傾斜により、液滴３０が貯留される。
【００１８】
図５は、本発明に係る容器の他の例を示すものである。
図５に示す容器１２０は、容器上部１２１と容器下部１２２とが別々に成形され、溶接等によって一体化されるツーピース缶である。
この容器１２０は、容器上部１２１の肩部１２５の下部に、液溜め凹部１２７が形成されている。液溜め凹部１２７は、底部１２７ａと、この底部１２７ａの内外縁からそれぞれ上方に延びる側部１２７ｂ、１２７ｃとからなる。
【図面の簡単な説明】
【００１９】
【図１】本発明の金属製容器の一例と、その口部に装着されるキャップとを備えた閉止装置を示す断面図である。
【図２】図１に示す金属製容器の要部を示す断面図である。
【図３】本発明の金属製容器の他の例の要部を示す断面図である。
【図４】本発明の金属製容器の他の例の要部を示す断面図である。
【図５】本発明の金属製容器の他の例の要部を示す断面図である。
【図６】従来の金属製容器の一例と、その口部に装着されるキャップとを備えた閉止装置を示す断面図である。
【符号の説明】
【００２０】
１…キャップ、２０、１２０…金属製容器（容器）、２１…口部、２４…胴部、２５、１２５…肩部、２６…首部、２７、２８、２９、１２７…液溜め凹部、２７ａ、２９ａ、１２７ａ…底部、２７ｄ…底面、３０…液滴
【図１】
2006143261.tif 000003
【図２】
2006143261.tif 000004
【図３】
2006143261.tif 000005
【図４】
2006143261.tif 000006
【図５】
2006143261.tif 000007
【図６】
2006143261.tif 000008